【手続補正書】
【提出日】平成15年5月28日(2003.5.28)
【手続補正１】
【補正対象書類名】明細書
【補正対象項目名】発明の名称
【補正方法】変更
【補正の内容】
【発明の名称】加圧方式液体排出用蓋


【手続補正２】
【補正対象書類名】明細書
【補正対象項目名】特許請求の範囲
【補正方法】変更
【補正の内容】
【特許請求の範囲】
【請求項１】
容器に結合される本体；
前記本体に突出形成された排出管固定部に回転方式に結合される排出管；および前記本体に連結部によって一体に連結された密閉用覆いを備えた加圧方式液体排出用蓋であって、
前記排出管の排出孔が、第１位置に回転するときには前記本体により密閉され、第２位置に回転するときには前記覆いにより密閉される加圧方式液体排出用蓋。
【請求項２】
前記排出管固定部が、その上方に排出孔が形成され、その下方には排出管固定突起が形成されてなることを特徴とする請求項１記載の加圧方式液体排出用蓋。
【請求項３】
前記排出管固定部の任意の両側方には、内部に固定溝を有する排出管固定突起固定溝部が形成されてなることを特徴とする請求項２記載の加圧方式液体排出用蓋。
【請求項４】
前記排出孔が、覆いを連結させる連結部の反対方向になるように構成されてなることを特徴とする請求項２記載の加圧方式液体排出用蓋。
【請求項５】
前記排出管が、内部に排出管固定部挿入溝が設けられ、該排出管固定部挿入溝が、一方の側に寝かす形態の管部の内部に設けられた排出孔と連結され、前記排出管固定部挿入溝の一定の高さの内壁に、排出管固定突起挿入溝が形成されてなることを特徴とする請求項１記載の加圧方式液体排出用蓋。
【請求項６】
前記排出管の下方の外段部に、排出管固定突起固定溝部の内側の固定溝に弾力的に固定される固定突起が形成されてなることを特徴とする請求項５記載の加圧方式液体排出用蓋。
【請求項７】
前記排出管の管部の下段部に、部分的に巻着された形態の漏れ防止部が形成されてなることを特徴とする請求項１記載の加圧方式液体排出用蓋。
【請求項８】
前記排出管の管部が排出管固定部の排出孔の反対方向になるように、排出管が排出管固定部に組み立てられてなることを特徴とする請求項５記載の加圧方式液体排出用蓋。
【請求項９】
前記覆いの案内部の方向には、排出孔密閉突起が形成され、前記排出孔密閉突起が、排出管の排出孔の方向と排出管固定部の排出孔の方向とが一致されるようにしたとき、排出管の排出孔の端部が密閉されるように位置づけられてなることを特徴とする請求項１記載の加圧方式液体排出用蓋。
【請求項１０】
前記排出管が、排出管固定部上で回転できることを特徴とする請求項１記載の加圧方式液体排出用蓋。
【請求項１１】
前記排出管が、固定突起によって回転される位置が制御されるように、排出管固定突起固定溝部が固定突起と対応する位置に構成されてなることを特徴とする請求項１０記載の加圧方式液体排出用蓋。
【請求項１２】
容器に結合された本体；および
前記本体に突出形成された排出管固定部に組み立てられ、上下に作動されることにより密閉と排出手段の役割をする排出管を有する
ことを特徴とする加圧方式液体排出用蓋。
【請求項１３】
前記排出管固定部が、内部の中心に排出孔を有し、その外環に第１および第２環輪が設けられてなることを特徴とする請求項１２記載の加圧方式液体排出用蓋。
【請求項１４】
前記排出管固定部に組み立てられた排出管が排出管固定部に差し込まれ得る排出管固定挿入溝を備え、該排出管固定部挿入溝が一方の側に寝かす形態の管部の内部に設けられた排出孔と連結されており、前記排出管固定部挿入溝の下方の内壁に環突起が形成され、かつ前記環突起が設けられた排出管固定部挿入溝の上方の底面に排出管固定部の排出孔を塞ぎ得る密閉部が形成されてなることを特徴とする請求項１３記載の加圧方式液体排出用蓋。
【請求項１５】
前記排出管が回転されないようにするために、前記排出管と、これに対応する排出管固定部との間にキーが形成されてなることを特徴とする請求項１２記載の加圧方式液体排出用蓋。
【請求項１６】
前記排出管が回転されないようにするために、上下作動形の排出管の排出管固定部挿入溝と、これに対応する排出管固定部とが楕円形に形成されてなることを特徴とする請求項１２記載の加圧方式液体排出用蓋。
【請求項１７】
前記本体に連結部によって一体に連結された密閉用覆いが形成されてなることを特徴とする請求項１２記載の加圧方式液体排出用蓋。
【請求項１８】
前記排出管の管部が、密閉用覆いの反対方向に向くことを特徴とする請求項１２記載の加圧方式液体排出用蓋。
【請求項１９】
前記排出管が、これに対応する排出管固定部に緊密に組み立てられて密閉力を維持することを特徴とする請求項１２記載の加圧方式液体排出用蓋。
【請求項２０】
前記密閉用覆いに排出孔密閉突起が形成され、前記排出孔密閉突起が、排出管を持ち上げたとき、管部の内部の排出孔の上段を塞ぐ位置にあることを特徴とする請求項１７記載の加圧方式液体排出用蓋。
【請求項２１】
前記排出管が一定の角度だけ回転したときに排出管が上向きにされて排出孔が形成され得るように、排出管固定部挿入溝部に螺子山が形成され、これに対応する排出管固定部にも螺子山が形成されて回転方式に排出管が上向きにされ得ることを特徴とする請求項１２記載の加圧方式液体排出用蓋。
【請求項２２】
前記排出管が一定の高さ以上に上向きにされないように、上向き防止敷居が形成されてなることを特徴とする請求項２１記載の加圧方式液体排出用蓋。
【請求項２３】
前記排出管が、前記排出管の密閉部が深く突出され、その外周面には螺子山が形成され、これに対応する排出孔の内壁部にも螺子山が形成され、前記密閉部の任意の間隙を置く下方部の螺子山の部位に排出溝が設けて排出管が上向きにされたとき、排出孔の役割をすることを特徴とする請求項２１記載の加圧方式液体排出用蓋。
【請求項２４】
前記排出管の下方部に偽造防止用スカートが形成されてなることを特徴とする請求項１または請求項１２記載の加圧方式液体排出用蓋。
【請求項２５】
容器に結合された本体；および
前記本体の上面に形成された排出管固定部に弾力的に組み立てられ、密閉されたのち、人為的に一定の角度だけ移動されて排出手段の役割をする排出管を有することを特徴とする加圧方式液体排出用蓋。
【請求項２６】
前記排出管固定部に、排出管差込部挿入溝、支持突起挿入溝、密閉突起挿入孔および密閉突起挿入溝が形成されてなることを特徴とする請求項２５記載の加圧方式液体排出用蓋。
【請求項２７】
前記排出管に、排出管差込部挿入溝に緊密に差し込まれて必要によって一定の角度だけ動くことができる差込部が設けられ、その差込部の内部には排出孔が形成され、前記差込部の両側に設けられた支持突起の下方には前記密閉突起挿入孔に緊密に挿入されて最初に開放されるときまでの密閉力を維持する第１密閉突起と、前記差込部の上方には前記密閉突起挿入溝に掛って固定された状態を持続的に維持させることができる第２密閉部とが設けられてなることを特徴とする請求項２５記載の加圧方式液体排出用蓋。
【請求項２８】
前記本体に連結部によって一体に連結された密閉用覆いが形成されてなることを特徴とする請求項２５記載の加圧方式液体排出用蓋。
【請求項２９】
前記密閉用覆いに排出孔密閉突起が形成され、当該排出孔密閉突起が、排出管の第２密閉突起が密閉突起挿入孔に位置するときに形成された排出管の排出孔の断部を塞ぐことができる位置に形成されることを特徴とする請求項２８記載の加圧方式液体排出用蓋。
【請求項３０】
前記排出管が、最初に使用されるまでは排出管の排出孔が覆いの方向になることを特徴とする請求項２５記載の加圧方式液体排出用蓋。
【請求項３１】
前記排出管が、最初は第１密閉突起によって密閉突起挿入孔が塞がれた形態に構成されることを特徴とする請求項２５記載の加圧方式液体排出用蓋。
【請求項３２】
前記密閉突起挿入孔の穿孔部が、薄板を接着することにより密閉力が補強されてなることを特徴とする請求項３１記載の加圧方式液体排出用蓋。
【請求項３３】
容器に結合された本体；
前記本体の上面部の覆い固定輪の内向に形成され、排出孔を有し、９０°の角度で下がる形態の排出管；および
前記排出管の排出孔の端部を塞ぐことができる排出孔密閉突起を有する覆い
からなる
ことを特徴とする加圧方式液体排出用蓋。
【請求項３４】
前記排出孔密閉突起が、弾力的であることを特徴とする請求項３３記載の加圧方式液体排出用蓋。
【請求項３５】
前記排出管の排出孔の傾きが、水平から上下７°の角度以内に構成されることを特徴とする請求項３３記載の加圧方式液体排出用蓋。
【手続補正３】
【補正対象書類名】明細書
【補正対象項目名】００１３
【補正方法】変更
【補正の内容】
【００１３】
前記目的を達成するために、本発明の蓋は、容器に結合される本体；前記本体に突出形成された排出管固定部に回転方式に結合される排出管；および前記本体に連結部によって一体に連結された密閉用覆いを備えた加圧方式液体排出用蓋であって、前記排出管の排出孔が、第１位置に回転するときには前記本体により密閉され、第２位置に回転するときには前記覆いにより密閉されることを特徴とする。